【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
磁気共鳴（ＭＲ）装置の検査ボリューム内に位置付けされた対象物のＭＲイメージングの方法であって、当該方法は、
ａ）前記対象物を、ＲＦパルス及びスイッチド傾斜磁場を含むマルチエコー・イメージング・シーケンスの複数のショットに当てることによりＭＲ信号を生成するステップであって、一連のエコー信号が各ショットにより生成される、生成するステップと、
ｂ）スタック・オブ・スター又はスタック・オブ・スパイラル方式に従って前記エコー信号を収集するステップであって、前記エコー信号は、ｋ空間におけるスライス方向に沿って異なる位置に配置された半径方向又は螺旋状ｋ空間プロファイルとして収集され、異なるｋ空間スライスからのエコー信号が前記イメージング・シーケンスの各ショットで収集され、各ショットの異なるスライスで前記収集が開始され、前記エコー信号の緩和時間の重み付けは完全な信号データセットの収集中に変化し、それによって所与の各ｋ空間スライスに起因する前記エコー信号は異なる緩和時間の重み付けで収集され、前記エコー信号は、異なる緩和時間の重み付けを有する各ｋ空間スライスから収集される、収集するステップと、
ｃ）ｋ空間強調画像コントラストフィルタ（ＫＷＩＣ）を使用して、前記収集したエコー信号から所望のコントラストの少なくとも１つのＭＲ画像を再構成するステップと、を含む
方法。
【請求項２】
前記収集したエコー信号から緩和時間マップが導出され、前記収集したエコー信号は、前記導出した緩和時間マップに従って変化が補償される、請求項１に記載の方法。
【請求項３】
前記イメージング・シーケンスは、ターボ・スピン・エコー（ＴＳＥ）シーケンス、ターボ・フィールド・エコー（ＴＦＥ）又はバランスド（ターボ）フィールド・エコーシーケンス、エコー・プラナー・イメージング（ＥＰＩ）シーケンス、又はＧＲＡＳＥシーケンスである、請求項１又は２に記載の方法。
【請求項４】
前記緩和時間の重み付けは、ショットからショットへの前記スライス方向における前記ｋ空間プロファイルの収集順序の変化によって変化する、請求項１乃至３のいずれか一項に記載の方法。
【請求項５】
前記緩和時間の重み付けは、前記エコー信号のエコーシフトの変化によって変化する、請求項１乃至４のいずれか一項に記載の方法。
【請求項６】
ディクソン再構成アルゴリズムを使用して、前記収集したエコー信号に対する水及び脂肪による寄与を分離する、請求項５に記載の方法。
【請求項７】
Ｔ１マップ及び／又はＴ２マップ及び／又はＴ２＊マップ及び／又はＢ０マップ及び／又は水マップ及び／又は脂肪マップ及び／又は感受性マップが、前記収集したエコー信号から導出される、請求項１乃至６のいずれか一項に記載の方法。
【請求項８】
少なくともＴ２強調ＭＲ画像及び／又は少なくともＴ１強調ＭＲ画像及び／又は少なくともプロトン密度強調ＭＲ画像が、前記収集したエコー信号から再構成される、請求項１乃至７のいずれか一項に記載の方法。
【請求項９】
Ｔ２強調、プロトン密度強調、及び／又はＴ１強調コントラストを組み合わせた少なくともＭＲ画像が、前記収集したエコー信号から合成される、請求項１乃至８のいずれか一項に記載の方法。
【請求項１０】
前記ＭＲイメージング・シーケンスには、前記ＲＦパルスのフリップ角掃引が含まれ、前記収集した各エコー信号に起因する前記フリップ角は、前記少なくとも１つのＭＲ画像の再構成において考慮される、請求項１乃至９のいずれか一項に記載の方法。
【請求項１１】
中心ｋ空間から収集したエコー信号から再構成された低解像度ＭＲ画像が、患者の動きによって生じる変位及び位相誤差を補償するために互いに比較される、請求項１乃至１０のいずれか一項に記載の方法。
【請求項１２】
類似性測定方法を使用して、複数の前記低解像度ＭＲ画像を整列させる、請求項１１に記載の方法。
【請求項１３】
前記ｋ空間プロファイルの半径方向密度は、ｋ空間における前記スライスの位置の関数として変化し、前記半径方向密度は、より中心のｋ空間の位置ほどより高く、より周辺のｋ空間の位置ほど低くなる、請求項１乃至１２のいずれか一項に記載の方法。
【請求項１４】
検査ボリューム内に均一な定常磁場Ｂ０を生成するための少なくとも１つの主磁石コイル、前記検査ボリューム内の異なる空間方向にスイッチド傾斜磁場を生成するための複数の傾斜磁場コイル、前記検査ボリューム内でＲＦパルスを生成する及び／又は検査ボリューム内に位置付けされた対象物から磁気共鳴（ＭＲ）信号を受信するための少なくとも１つのＲＦコイル、時間的に連続するＲＦパルス及びスイッチド傾斜磁場を制御するための制御ユニット、及び前記受信したＭＲ信号からＭＲ画像を再構成するための再構成ユニットを含むＭＲ装置であって、当該ＭＲ装置は、
ａ）前記対象物を、ＲＦパルス及びスイッチド傾斜磁場を含むマルチエコー・イメージング・シーケンスの複数のショットに当てることによりＭＲ信号を生成することであって、一連のエコー信号は各ショットにより生成される、生成すること、
ｂ）スタック・オブ・スター又はスタック・オブ・スパイラル方式に従って前記エコー信号を収集することであって、前記エコー信号は、ｋ空間におけるスライス方向に沿って異なる位置に配置された半径方向又は螺旋状ｋ空間プロファイルとして収集され、異なるｋ空間スライスからのエコー信号が前記イメージング・シーケンスの各ショットで収集され、各ショットの異なるスライスで前記収集が開始され、前記エコー信号の緩和時間の重み付けは完全な信号データセットの収集中に変化し、それによって所与の各ｋ空間スライスに起因する前記エコー信号は異なる緩和時間の重み付けで収集され、前記エコー信号は、異なる緩和時間の重み付けを有する各ｋ空間スライスから収集される、収集すること、及び
ｃ）ｋ空間強調画像コントラストフィルタ（ＫＷＩＣ）を使用して、前記収集したエコー信号から所望のコントラストの少なくとも１つのＭＲ画像を再構成すること、を実行するように構成される、
ＭＲ装置。
【請求項１５】
非一時的なコンピュータ可読記憶媒体に記憶された実行可能命令を含むコンピュータプログラムであって、該プログラムが磁気共鳴（ＭＲ）装置で実行されたときに、該ＭＲ装置に、
ａ）ＲＦパルス及びスイッチド傾斜磁場を含むマルチエコー・イメージング・シーケンスの複数のショットを生成すること、
ｂ）スタック・オブ・スター又はスタック・オブ・スパイラル方式に従ってエコー信号を収集することであって、前記エコー信号は、ｋ空間におけるスライス方向に沿って異なる位置に配置された半径方向又は螺旋状ｋ空間プロファイルとして収集され、異なるｋ空間スライスからのエコー信号が前記イメージング・シーケンスの各ショットで収集され、各ショットの異なるスライスで前記収集が開始され、前記エコー信号の緩和時間の重み付けは完全な信号データセットの収集中に変化し、それによって所与の各ｋ空間スライスに起因する前記エコー信号は異なる緩和時間の重み付けで収集され、前記エコー信号は、異なる緩和時間の重み付けを有する各ｋ空間スライスから収集される、収集すること、及び
ｃ）ｋ空間強調画像コントラストフィルタを使用して、前記収集したエコー信号から所望のコントラストの少なくとも１つのＭＲ画像を再構成すること、を含む段階を行わせる、
コンピュータプログラム。
【請求項１６】
前記類似性測定方法は、相互相関及び／又は正規化された相互情報から構成されるグループから選択される、請求項１２に記載の方法。